(57)【特許請求の範囲】
【請求項１】
扉の自由側端縁に取り付けられるガードアームにおける先端の係合突起を選択的に係合案内させるため、嵌め孔及びそれに連設した案内長孔を有し、扉枠又は対向する他の扉の対向面に取り付けられるストライク板において；ストライク板の上下方向における嵌め孔の存在する側の一端部の裏面に拘束ピンを後方に向け固設すること；拘束ピンの長さはストライク板の裏面側の最大突出物の奥行きよりも長く、拘束ピン先端部の前記最大突出物を越えた部分にピン本体部の径より大径の雄ねじ部を有すること；ストライク板の装着時、拘束ピンの雄ねじ部は扉枠又は他の扉の対向面に形成したピン用雌ねじ孔に螺合された後、後方に突き抜けるものであること；及び、ストライク板の上下方向の両端部はそれぞれ取付ねじで扉枠又は他の扉の対向面に固定されることを構成条件とするガードア−ム用ストライク板の取付装置。
【請求項２】
扉の自由側端縁に取り付けられるガードアームにおける先端の係合突起を選択的に係合案内させるため、嵌め孔及びそれに連設した案内長孔を有し、扉枠又は対向する他の扉の対向面に取り付けられるストライク板において；ストライク板の上下方向における嵌め孔の存在する側の一端部の裏面に拘束ピンを後方に向け固設すること；拘束ピンの長さは少なくとも扉枠又は対向する他の扉の対向面の板厚よりも長く、その先端部にピン本体部の径より大径の雄ねじ部を有すること；ストライク板の装着時、拘束ピンの雄ねじ部は扉枠又は他の扉の対向面に形成したピン用雌ねじ孔に螺合された後、後方に突き抜けるものであること；及び、ストライク板の上下方向の両端部はそれぞれ取付ねじで扉枠又は他の扉の対向面に固定されることを構成条件とするガードア−ム用ストライク板の取付装置。
【発明の詳細な説明】
【０００１】
【産業上の利用分野】
この発明は、扉と扉枠又は両開き扉の対向する他の扉との間に設置されるガードア−ム装置（用心錠）におけるストライク板の取付装置に関する。
【０００２】
【従来の技術】
ガードア−ムによって扉の開放角度を半開き状態に制限して、来訪者の確認や応対を安全に行えるようにしたガードア−ム装置は、例えば実開平２−１０５４７２号公報に示され公知である。
【０００３】
同公報に示されたような従来のガードア−ム装置は、扉の自由側端縁に取り付けられるガードア−ムの先端の係合突起を選択的に係合案内させるため、嵌め孔及びそれに連設した案内長孔を有するストライク板を備えており、そのストライク板は、単に取付ねじで扉枠又は対向する他の扉の対向面に取り付けるのがごく普通である。
【０００４】
【発明が解決しようとする課題】
そのため、前記のようなガードア−ム装置では、ガードア−ム作動時扉が半開き状態にされると、ストライク板が外部に露出するので、悪意の第三者がドライバ等を用いれば簡単に取付ねじをねじ戻すことができることになる。
【０００５】
従って、ストライク板が扉枠又は他の扉から外されて、ガードア−ム作動状態が解除され、悪意の第三者の侵入を許すことになる。
【０００６】
この発明は、前記の防犯上の問題点を解決し、ガードア−ム作動時にストライク板が外部に露出してもそれを扉枠又は他の扉から取り外せないようにしたストライク板の取付装置を提案することを目的とする。
【０００７】
【課題を解決するための手段】
上記の目的を達成するため、請求項１に記載の発明によるガードア−ム用ストライク板の取付装置は、扉の自由側端縁に取り付けられるガードアームにおける先端の係合突起を選択的に係合案内させるため、嵌め孔及びそれに連設した案内長孔を有し、扉枠又は対向する他の扉の対向面に取り付けられるストライク板において；ストライク板の上下方向における嵌め孔の存在する側の一端面の裏面に拘束ピンを後方に向け固設すること；拘束ピンの長さはストライク板の裏面側の最大突出物の奥行きよりも長く、拘束ピン先端部の前記最大突出物を越えた部分にピン本体部の径より大径の雄ねじ部を有すること；ストライク板の装着時、拘束ピンの雄ねじ部は扉枠又は他の扉の対向面に形成したピン用雌ねじ孔に螺合された後、後方に突き抜けるものであること；及び、ストライク板の上下方向の両端部はそれぞれ取付ねじで扉枠又は他の扉の対向面に固定されることを構成条件とする。
【０００８】
また、請求項２に記載の発明によるガードアーム用ストライク板の取付装置は、扉の自由側端縁に取り付けられるガードアームにおける先端の係合突起を選択的に係合案内させるため、嵌め孔及びそれに連設した案内長孔を有し、扉枠又は対向する他の扉の対向面に取り付けられるストライク板において；ストライク板の上下方向における嵌め孔の存在する側の一端部の裏面に拘束ピンを後方に向け固設すること；拘束ピンの長さは少なくとも扉枠又は対向する他の扉の対向面の板厚よりも長く、その先端部にピン本体部の径より大径の雄ねじ部を有すること；ストライク板の装着時、拘束ピンの雄ねじ部は扉枠又は他の扉の対向面に形成したピン用雌ねじ孔に螺合された後、後方に突き抜けるものであること；及び、ストライク板の上下方向の両端部はそれぞれ取付ねじで扉枠又は他の扉の対向面に固定されることを構成条件とする。
【０００９】
【作用】
請求項１に記載の発明に係るストライク板３を扉枠１０又は他の扉（以下「扉枠」を代表させる）に取り付ける手順について図３を参照して説明する。
【００１０】
先ず、ストライク板３を手で掴みその裏面に突設した拘束ピン５の雄ねじ部５２を扉枠１０のピン用雌ねじ孔４０に螺合させ、ストライク板３全体を数回回動させて、その雄ねじ部５２をピン用雌ねじ孔４０から後方へ突き抜けさせる。
【００１１】
この際、拘束ピン５のピン本体部５１はピン用雌ねじ孔４０にやや緩めに嵌挿された状態にある。
【００１２】
そこで、ストライク板３を扉枠１０に押し付け、図１及び図２に示すようにその上下方向（長さ方向）の両端部を取付ねじ４、４で扉枠１０の対向面に固定する。
【００１３】
次に、ガードア−ム作動状態において、悪意の第三者がガードア−ム装置を破壊させようとした場合について図１、図２を参照して説明する。
【００１４】
扉を半開き状態に開放させ、外部に露出したストライク板３の取付けねじ４、４をドライバで取り外したとしても、ストライク板３は、その案内長孔３２に係入されているガードアーム１の係合突起２と扉枠１０のピン用雄ねじ孔４０に差し込まれている該ストライク板３の拘束ピン５の存在により、拘束ピン５の軸線を基準とする回動並びに扉枠１０の対向面から離間する方向への移動がある範囲で制限されるので、ストライク板３の扉枠１０からの完全な取り外しは不可能である。
【００１５】
換言すれば、ストライク板３の揺動（回動）の範囲はガードアーム１の長さによって制限され、また、ストライク板３の水平方向への取り外しは、拘束ピン５の雄ねじ部５１が扉枠１０のピン用雄ねじ孔４０の周辺部に当接することによって制限される。
【００１６】
請求項２に記載の発明に係る発明においては、ストライク板３の裏面側にトロヨケ３５を結合しておらず、かつ、折曲げ片３３も形成されていない場合に適用されるもので、図４に示すように、先ずトロヨケ３５のみを扉枠１０に嵌め込み、後に短い拘束ピン５の雄ねじ部５２を上記したと同様にしてピン用雌ねじ孔４０に捩じ込む。
【００１７】
このとき、トロヨケ３５のフランジ部の拘束ピン５と干渉する部分には、その雄ねじ部と遊嵌する所謂バカ穴を開けておくべきことは言うまでもない。
【００１８】
次いで、取付ねじ４、４でストライク板３を扉枠１０に固定する。この場合のストライク板３の作用効果については、上記した請求項１に記載の発明のそれと同様であるから、更に詳細な説明は省略する。
【００１９】
【実施例】
以下、図面に示す実施例に基づいてこの発明について説明する。
請求項１に記載の発明の一実施例を示す図１〜図３において、符号１は基端が図示しない扉に可動に取り付けられたガードアームで、その先端には軸部２１及びフランジ部２２とから成る係合突起２が突設してある。
【００２０】
このガードアーム１は本締り錠に併設されることが多く、その場合サムターンによりフロント板から突出入させるのが普通である。但し、ガードアーム装置（用心錠）は本締り錠とは全く別に独立させて設けることもできる。
【００２１】
ガードアーム１の係合突起２を選択的に係合させまた案内させるストライク板３は、嵌め孔３１及びそれに連設した案内長孔３２を有し、扉枠１０又は両開き扉の対向する他の対向面に後記の取付ねじ４、４で取り付けられる。
【００２２】
符号３３はガードアーム１の係合突起２をストライク板３の嵌め孔３１に嵌め外しする際に、係合突起２を正位置に誘導する折曲げ片、３４はガードアーム装置に併設された本締り錠におけるデッドボルトの係入孔、３５は、ストライク板３の裏面側に溶接又はかしめ付け等によりフランジ状取付部において固設したトロヨケ、２０はトロヨケ３５を嵌め込むため扉枠１０に設けた開口、３０は取付けねじ４を螺合させるため扉１０に設けた雌ねじ孔をそれぞれ示す。
【００２３】
次に、この発明の要部である拘束ピン５について説明する。
拘束ピン５は、小径の基端側のピン本体部５１と大径の先端側の雄ねじ部５１とから成り、その基端はストライク板３の上下方向（長さ方向）における嵌め孔３１を有する側の一端部の裏面のかしめ付け又は溶接等により直接又は間接的に固設する。
【００２４】
図示例では拘束ピン５はストライク板３の裏面に対しトロヨケ３５のフランジ状取付け部を介して間接的に固設させてあり、後方に向け突設させてある。なお、トロヨケ３５はこの発明においては、言うまでもないが必須の構成要素ではない。
【００２５】
そして、前記の拘束ピン５の長さはストライク板３の裏面側における例えばトロヨケ３５その他の最大突出物の奥行きよりも長く、その拘束ピン５は、拘束ピン先端部の前記最大突出物を越えた部分にピン本体部５１の径より大径の雄ねじ部５２を有する。
【００２６】
ストライク板３を扉枠１０又他の扉に装着するに際しては、拘束ピン５の雄ねじ部５２は、扉枠１０又は他の扉の対向面に予め形成したピン用雌ねじ孔４０に螺合させた後、それを後方に突き抜けるようにする。
【００２７】
図３に示すように、拘束ピン５の雄ねじ部５２が扉枠１０又は他の扉の対向面をピン用雌ねじ孔４０を後方に突き抜けたら、ストライク板３を所定位置に押し当て該ストライク板３の上下方向の両端部をそれぞれ任意数の取付ねじ４、４で扉枠１０又は他の扉の対向面に固定する。
【００２８】
この際、各取付ねじ４は扉枠１０又は他の扉の対向する雌ねじ孔３０に螺合させることは言うまでもない。
【００２９】
しかして、ストライク板３は必ずしもトロヨケ３５と一体に結合されるべきものではなく、別々に扉枠１０に装着される場合もあり、或いは、トロヨケを設けないでストライク板を直接扉枠に装着する場合もある。
【００３０】
また、ストライク板３の裏面に前記折曲げ片３３（図１及び図３参照）を設けず、ストライク板が３平な板状体として形成される場合もある。
【００３１】
このような場合には、前記した請求項１に記載の発明におけるストライク板の裏面側の突出物が無いので、図４に示すように、拘束ピン５の長さを短くすることができる。
【００３２】
この場合、拘束ピンの本体部５１の長さは、扉枠１０の取付面の厚さとトロヨケ３５のフランジ部の厚さを加えたものより若干長く設定すればよい。
【００３３】
【発明の効果】
以上に説明したこの発明のガードアーム用ストライク板の取付装置によれば、ガードアーム作動時にストライク板の取付ねじが悪意の第三者によって取り外されても、拘束ピン及びその関連構成により、ストライク板を扉枠又は開き扉の他の扉から離脱させることを不能とするので、防犯上極めて有効である。
【図面の簡単な説明】
【図１】請求項１に記載の発明の一実施例によるガードアーム用ストライク板の取付装置の正面図。
【図２】その部分縦断側面図。
【図３】その装着過程におけるその部分縦断側面図。
【図４】請求項２に記載の発明の一実施例によるガードアーム用ストライク板の取付装置を示す部分縦断側面図で、その装着過程を示す。
【符号の説明】
１  ガードアーム
２  係合突起
３  ストライク板
４  取付ねじ
５  拘束ピン
５１  本体部
５２  雄ねじ部
１０  扉枠
２０  開口
３０  雌ねじ孔
３１  嵌め孔
３２  案内長孔
４０  ピン用雌ねじ孔
【図１】
0003672113.tif 000002
【図２】
0003672113.tif 000003
【図３】
0003672113.tif 000004
【図４】
0003672113.tif 000005